(57)【要約】      （修正有）【課題】レンジフードに簡単に取り付けができ、清掃も容易なレンジフード用整流カバーを提供する。【解決手段】前後カバー２Ａ、左右カバー２Ｂが、それぞれ、柔軟で透明な防炎性材料からなるカバー本体板３Ａ、３Ｂと、その一方の長辺縁に沿って配置したカバー本体板補強枠４Ａ、４Ｂと、カバー本体板補強枠を、レンジフードの下端の外周縁部に取り付けるためのマグネットシート５Ａ、５Ｂを備える。従来の格納式のカバー等とは異なり、取付け工事が不要であり、必要に応じて、簡単にレンジフードに取り付けて使用でき、清掃も容易である。レンジフードの下端開口部の前側に取り付けた場合に、調理台の前側に立って調理等をしている人の頭等が当たっても安全であり、調理等の作業の支障にもならないので、レンジフードの前側への調理ガスの拡散も防止できる。【選択図】図３
0003219022.tif 000002
【実用新案登録請求の範囲】
【請求項１】
レンジフードに取り付けて用いるレンジフード用整流カバーであって、
撓み可能な防炎性材料からなる長方形輪郭のカバー本体板と、
前記カバー本体板における一方の長辺縁に沿って配置したカバー本体板補強枠と、
前記カバー本体板補強枠を、前記レンジフードの下端外周縁部に着脱可能に取り付けるために、前記カバー本体板補強枠に沿って配置したマグネットと、
を備えているレンジフード用整流カバー。
【請求項２】
請求項１において、
前記カバー本体板は、透明な樹脂材料からなり、
前記カバー本体板補強枠は、金属製のアングル材であり、
前記カバー本体板の前記長辺縁は、前記アングル材の一方の辺の表面に貼り付けられており、
前記マグネットは、長方形輪郭の板状マグネットあるいはシート状マグネットであり、前記アングル材の他方の辺の表面に貼り付けられている
レンジフード用整流カバー。
【請求項３】
請求項１において、
前記カバー本体板および前記カバー本体板補強枠は、透明な樹脂材料から一体成型された樹脂成型品であり、
前記マグネットは、長方形輪郭の板状マグネットあるいはシート状マグネットであり、インサート成形あるいは接着により、前記樹脂成型品に固定されている
レンジフード用整流カバー。
【請求項４】
請求項１、２または３において、
前記カバー本体板の短辺方向の幅は、３０ｍｍ〜１４０ｍｍであるレンジフード用整流カバー。
【請求項５】
複数枚のレンジフード用整流カバーを備え、
前記レンジフード用整流カバーには、少なくとも長さの異なる第１レンジフード用整流カバーおよび第２レンジフード用整流カバーが含まれており、
前記第１レンジフード用整流カバーおよび前記第２レンジフード用整流カバーは、それぞれ、請求項１ないし４のうちのいずれか一つの項に記載されたレンジフード用整流カバーであるレンジフード用整流カバーのセット。
【請求項６】
請求項５において、
前記第１レンジフード用整流カバーの前記カバー本体板の一方の短辺縁、または両側の短辺縁には、係合溝が形成されており、
前記第２レンジフード用整流カバーの前記カバー本体板の一方の短辺縁、または両側の短辺縁には、前記係合溝に差し込み固定可能な係合突起が形成されているレンジフード用整流カバーのセット。
【考案の詳細な説明】
【技術分野】
【０００１】
本考案は、調理台での煮炊き等によって生じた油煙、水蒸気、臭気等を含む調理ガスの拡散を防止するために、レンジフードに取り付けて用いるレンジフード用整流カバー、およびそのセットに関する。
【背景技術】
【０００２】
レンジフードは、フード本体内の排気ファンにより、油煙、水蒸気、臭気等を含む調理ガスを吸引し、排気ダクトを通して屋外に排出する。レンジフードは調理台の直上の所定高さの位置に配置され、その下端開口部は下方に開口した吸引口となっている。防災等の理由から、ガスコンロ等の調理機器に対して所定の距離を離して、レンジフードを設置する必要がある。このため、調理によって生じる調理ガスの一部が、レンジフードの吸引口に誘導されず、キッチンやダイニングルーム等の室内に拡散することが避けられない。そこで、特許文献１、２には、レンジフードの下端開口部の左右に、調理ガスの拡散防止用のカバー（誘導板、パネルガード）を格納可能に取り付けたものが提案されている。
【０００３】
特許文献１においては、レンジフードの左右の天袋内にパネルガードを収容し、パネルガードをレンジフードの左右の縁よりも下方に引き出して使用している。下方に引き出された左右のパネルガードによって、調理ガスを左右に拡散させずにレンジフードの下端開口部に導くようにしている。特許文献２においては、レンジフードの下端開口部の左右に、誘導板が配置されている。左右の誘導板は、それぞれ一端を中心として、上下に旋回可能に取り付けられている。左右の誘導板は、下端開口面に沿った水平な収納位置から下方に旋回させて垂直な姿勢とし、この状態で使用される。下方に倒した左右の誘導板によって、調理ガスを左右に拡散させずにレンジフードの下端開口部に導くようにしている。
【先行技術文献】
【特許文献】
【０００４】
【特許文献１】特開２００９−１８０４０７号公報
【特許文献２】特開平８−１４５４２９号公報
【考案の概要】
【考案が解決しようとする課題】
【０００５】
レンジフードに格納式のカバーを取り付ける場合には、カバー引き出し機構、カバー旋回機構の取付け工事が必要になる。既設のレンジフードに対して簡単に、調理ガスの拡散防止用のカバーを取り付けることができない。オープンキッチン、アイランドキッチンなどにおいては、天井取付け型のレンジフードが用いられ、左右に天袋が配置されない場合がある。このような場合には、特許文献１に記載の格納式のパネルガードを取り付けることができない。また、油などの汚れが付着した場合に、格納式のカバーは簡単に取り外すことができないので、カバーの清掃を簡単に行えないという問題もある。
【０００６】
これに加えて、レンジフードの前方への調理ガスの拡散を防止するために、レンジフードの下端開口部の前縁部分にも前側カバーを取り付けることが考えられる。しかし、この場合には、レンジフードの下方において調理台に向かって調理をしている人の頭などに、前側カバーが当たるおそれがある。また、レンジフードに取り付けた前側カバーが邪魔になって調理等の作業に支障を来すおそれもある。
【０００７】
本考案の目的は、このような点に鑑みて、面倒な取付け工事などを必要とすることなく、既設のレンジフードに簡単に取り付けることができ、清掃作業も簡単に行うことができ、また、レンジフードの前側にも支障なく取り付けることのできるレンジフード用整流カバー、およびそのセットを提供することにある。
【課題を解決するための手段】
【０００８】
本考案による、レンジフードの下端開口部に取り付けて用いるレンジフード用整流カバーは、
撓み可能な防炎性材料からなる長方形輪郭のカバー本体板、
カバー本体板における一方の長辺縁に沿って配置したカバー本体板補強枠、および、
カバー本体板補強枠を、レンジフードの下端外周縁部に着脱可能に取り付けるために、カバー本体板補強枠に沿って配置したマグネット
を備えている。
【０００９】
本考案のレンジフード用整流カバーは、磁力により、既設のレンジフードの下端開口部の外周縁部に、着脱可能に取り付けて使用される。従来の格納式のカバー等とは異なり、取付け工事が不要であり、必要に応じて、簡単にレンジフードに取り付けて使用できる。また、レンジフードに対してワンタッチで着脱可能なので、清掃なども容易である。さらに、撓み可能な素材からカバー本体板が形成されているので、レンジフードの下端開口部の前側の外周縁部に取り付けた場合に、調理台の前側に立って調理等をしている人の頭等が当たっても安全であり、調理等の作業の支障にもならない。よって、レンジフードの前側への調理ガスの拡散も防止あるいは抑制できる。
【００１０】
本考案において、レンジフードの外観品位の低下や、レンジフードが配置されているキッチン全体の美観を損ねることのないように、カバー本体板は、透明な樹脂材料から形成することが望ましい。
【００１１】
カバー本体板補強枠として、アルミニウムなどの金属製のアングル材を用いることができる。この場合、カバー本体板の一方の長辺縁を、アングル材の一方の辺の外側表面に貼り付けて固定すればよい。また、マグネットとして、長方形輪郭の板状マグネットあるいはシート状マグネットを、アングル材の他方の辺の外側表面に貼り付けて固定すればよい。
【００１２】
本考案において、カバー本体板およびカバー本体板補強枠を、透明な樹脂材料から一体成型された樹脂成型品とすることもできる。この場合には、マグネットとして、長方形輪郭の板状マグネットあるいはシート状マグネットを使用し、これを、例えば、インサート成形あるいは接着により、樹脂成型品に固定すればよい。
【００１３】
本考案者の実験によれば、カバー本体板の短辺の長さ（幅）は、約３０ｍｍ〜約１４０ｍｍの範囲内が望ましいことが確認された。レンジフード用整流カバーをレンジフードの下開口部の外周縁部に取り付けることにより、レンジフードファンの稼動に伴い、レンジフードの下端開口部よりも上方において、レンジフードの周囲の気体（調理ガスを含む空気）が、レンジフードの外周面およびレンジフード用整流カバーに沿って下向きに流れて、下端開口部に誘導される。上記のようにカバー本体板の短辺の長さを設定すると、このような下向きの気体流を効率良く発生させることができ、周囲に拡散する調理ガスを効果的に捕集できる。
【００１４】
本考案のレンジフード用整流カバーは、天井取付け型のレンジフードの場合には、下端開口部の四方の外周縁部に垂直に取り付けて使用される。また、壁面取付け型のレンジフードの場合には、レンジフードの下開口部の四方の外周縁部のうち、壁面に面していない二方、あるいは三方の外周縁部に垂直に取り付けて使用される。したがって、複数枚のレンジフード用整流カバーをセットとして用意しておくと便利である。
【００１５】
この場合には、レンジフードの下端開口部における隣接する外周縁部に取り付けられる２枚のレンジフード用整流カバーの端を相互に直交状態で、隙間無く、連結固定できるようにしてもよい。このためには、一方のレンジフード用整流カバーのカバー本体板の一方の短辺縁、または両側の短辺縁に連結用の係合溝を形成しておき、他方のレンジフード用整流カバーのカバー本体板の一方の短辺縁、または両側の短辺縁に、係合溝に差し込み固定可能な連結用の係合突起を形成しておけばよい。
【図面の簡単な説明】
【００１６】
【図１】本考案を適用したレンジフード用整流カバーの使用例を示す斜視図、および、その概略縦断面図である。
【図２】前後カバーおよび左右カバーをそれぞれ示す正面図および縦断面図である。
【図３】前後カバーおよび左右カバーの組み合わせ状態を示す説明図である。
【図４】前後カバーおよび左右カバーの別の例を示す正面図および縦断面図である。
【図５】レンジフードに吸引される調理ガスの流れを示す説明図である。
【図６】実験を説明するための説明図である。
【図７】前後カバーおよび左右カバーのそれぞれを示す平面図、正面図、底面図、背面図および左側面図である。
【考案を実施するための形態】
【００１７】
以下に、図面を参照して、本考案の実施の形態を説明する。図１（ａ）はレンジフード用整流カバーのセットを、オープンキッチン、アイランド型キッチンのレンジフードに用いる場合の説明図である。図１（ｂ）はレンジフードに取り付けたレンジフード用整流カバーを示す概略断面図である。
【００１８】
これらの図に示すように、オープンキッチンあるいはアイランド型キッチンにおいて、調理台１０のコンロ１１の真上には、例えば、天井取付け型のレンジフード１が配置されている。レンジフード１は上側フード部分１ａと、この下端に水平に取り付けた扁平な直方体形状の下側フード部分１ｂとを備えている。下側フード部分１ｂにおける矩形の下端開口部１ｃの中央部分には、水平に矩形輪郭のフード整流板１ｄが取り付けられており、フード整流板１ｄの周囲が矩形枠状に開口した吸引口１ｅとなっている。
【００１９】
下側フード部分１ｂの下端開口部１ｃにおける四方の外周縁部（前後、左右の外周縁部）の下面には、それぞれ、レンジフード用整流カバーが取り付けられている。以下の説明では、前後の長辺側の外周縁下面に取り付けられる長いレンジフード用整流カバーを、前後カバー２Ａと呼び、左右の短辺側の外周縁下面に取り付けられる短いレンジフード用整流カバーを、左右カバー２Ｂと呼ぶ。通常は、２枚の前後カバー２Ａと２枚の左右カバー２Ｂとが、４枚１組のレンジフード用整流カバーのセットとして提供される。勿論、単品での提供も可能である。各メーカーのレンジフードの下端開口部の前後、左右の長さに対応する各種長さの前後カバー２Ａと左右カバー２Ｂを用意しておくと便利である。
【００２０】
図２（ａ）は前後カバー２Ａを示す正面図であり、図２（ｂ）は左右カバー２Ｂを示す正面図であり、図２（ｃ）はこれらの縦断面図である。図３は前後カバー２Ａおよび左右カバー２Ｂの組付け状態を示す説明図である。
【００２１】
前後カバー２Ａ、左右カバー２Ｂのそれぞれは、細長い長方形輪郭のカバー本体板３Ａ、３Ｂと、カバー本体板補強枠４Ａ、４Ｂと、マグネットシート５Ａ、５Ｂとを備えている。カバー本体板３Ａ、３Ｂは、撓み可能な防炎性材料から形成されている。例えば、万が一調理者の頭部等に接触しても安全な軟質の透明樹脂材（例えば、ビニール）であって、防炎２級（ＪＩＳ  Ａ−１３２２）酸素指数２７以上（ＪＩＳ  Ｋ−７２０１）の材料が用いられる。また、前後カバー２Ａのカバー本体板３Ａの両側の端には、先端が広幅の連結用の係合用突起３ａが形成されている。左右カバー２Ｂのカバー本体板３Ｂの両側の端には、矩形の連結用の係合溝として、スリット３ｂが形成されている。スリット３ｂに、係合用突起３ａを差し込むと、係合用突起３ａの先端部がスリット３ｂの上下の縁部に、差込方向の反対側から係合するので、双方のカバー本体板３Ａ、３Ｂを直交状態に連結できる。スリット３ｂから係合用突起３ａを外す作業も簡単に行える。
【００２２】
カバー本体板補強枠４Ａ、４Ｂは、本例では、アルミニウム製のアングル材（Ｌ形断面の枠材）から形成されている。アルミニウム以外の金属製のアングル材であってもよい。また、溝形断面（Ｕ状断面）の枠材を用いることもできる。さらに、硬質プラスチック材料の枠材を用いることもできる。
【００２３】
カバー本体板補強枠４Ａ、４Ｂにおける一方の辺４ａの外側表面に、カバー本体板３Ａ、３Ｂの一方の長辺縁部３ｃが接着固定されている。また、カバー本体板補強枠４Ａ、４Ｂにおける他方の辺４ｂの外側表面には、その長さ方向の全体に亘って、当該外側表面とほぼ同一幅の細長い長方形のマグネットシート５Ａ、５Ｂが接着固定されている。図３において拡大して示すように、カバー本体板補強枠４Ａ、４Ｂおよびマグネットシート５Ａ、５Ｂの長辺方向の端は、４５度の角度の端面となっている。前後カバー２Ａと左右カバー２Ｂを直交状態で突き当てた状態で、双方を連結固定できるようになっている。
【００２４】
図４（ａ）、（ｂ）は前後カバー２Ａ、左右カバー２Ｂの別の例を示す正面図であり、図４（ｃ）はそれらの縦断面図である。これらの図に示す前後カバー１２Ａ、左右カバー１２Ｂのカバー本体板１３Ａ、１３Ｂおよびカバー本体板補強枠１４Ａ、１４Ｂは、それぞれ、透明な樹脂材料から一体成型された樹脂成型品である。カバー本体板１３Ａ、１３Ｂは、透明な所定の撓み性を備えた一定厚さの細長い長方形の部分であり、それらの長辺方向の両端部には、係合用突起１３ａ、スリット１３ｂがそれぞれ形成されている。カバー本体板補強枠１４Ａ、１４Ｂは所定の剛性が確保できる厚さの矩形断面の部分である。また、カバー本体板補強枠１４Ａ、１４Ｂには、マグネットシート１５Ａ、１５Ｂが、インサート成形あるいは接着により、一体化されている。この構成の前後カバー１２Ａ、左右カバー１２Ｂも、上記の前後カバー２Ａ、左右カバー２Ｂと同様に用いることができる。
【００２５】
（カバー本体板の短辺の長さについて）
ここで、カバー本体板３Ａ、３Ｂ、１３Ａ、１３Ｂにおける短辺方向の長さ、すなわち、レンジフードの下端開口部の外周縁部から下方へ突出している長さ寸法は、３０ｍｍ〜１４０ｍｍとすることが望ましい。図５を参照して、この点について説明する。
【００２６】
近年のレンジフードは、開口部を含む部分の厚さが５ｃｍ前後と比較的薄いフラット型レンジフードが増加している。図５（ｂ）に示すように、フラット型のレンジフード１の下で調理した場合、調理ガスがレンジフード１の外周において、その下端開口部の吸引口よりも上方に達した場合、そのような調理ガスを十分に吸引することができず、調理ガスがキッチンやリビングルームへ移動してしまうことがある。
【００２７】
これに対して、本例の前後カバー２Ａ（１２Ａ）、左右カバー２Ｂ（１２Ｂ）を、フラット型のレンジフード１に取り付けると、図５（ａ）に示すように、レンジファンの稼動に伴って、レンジフード１の下端開口部の周囲において、下向きの気流が生じる。下端開口部の吸引口１ｅよりも上側の雰囲気は、この下向きの気流とともに吸引口１ｅに引き寄せられ、レンジフード１内を通って、屋外へ排気される。
【００２８】
本考案者は、本例の前後カバー２Ａ（１２Ａ）、左右カバー２Ｂ（１２Ｂ）の短辺の長さと、カバー２を取り付けたレンジフードのガスの捕集性との関係について実験を行った。この実験では、図６に示すように、レンジフード１に取り付ける前後カバー２Ａ、左右カバー２Ｂの長さＬを１０ｍｍから１７０ｍｍまで１０ｍｍずつ長くしていき、地点ａ〜地点ｅにおいてタバコの煙がレンジフードの吸引口に誘導されるか否かを目視により観察したものである。実験結果を表１に示す。
【００２９】
【表１】
0003219022.tif 000003
【００３０】
表１において、「〇」は煙が完全に吸引口に吸引されたとき、「△」は大半の煙が吸引口に吸引されたとき、「×」は半分以上の煙が吸引口に吸引されずに他所へ流出したときをそれぞれ目視評価した結果である。
【００３１】
この評価結果からわかるように、整流カバーの長さＬが短すぎても長すぎても十分な捕集効果を奏することができず、３０ｍｍ〜１４０ｍｍの長さにすることが好ましく、６０ｍｍから１１０ｍｍの長さであることが一層より好ましい。
【００３２】
［その他の実施の形態］
オープンキッチン、アイランド型キッチンの場合における天井取付け型のレンジフードに、本例のカバーを取り付けた場合を説明した。壁面取付け型のレンジフードに前後カバー２Ａ（１２Ａ）、左右カバー２Ｂ（１２Ｂ）を取付け可能であることは勿論である。この場合には、レンジフードの下端開口部の外周縁における、壁面に面する外周縁部以外の外周縁部に取り付ければよい。
【００３３】
また、上記の前後カバー２Ａ（１２Ａ）、左右カバー２Ｂ（１２Ｂ）は、マグネットを用いて、レンジフード１に着脱可能に取り付けている。マグネットの代わりに、ねじ止め、クランプ材、はめ込み型結合部材などを用いてレンジフードに取り付けることも可能である。粘着テープを用いることも可能であるが、熱や調理油で粘着力が劣化してカバー２が落下する可能性がある場合には好ましくない。
【００３４】
また、上記の前後カバー２Ａ（１２Ａ）、左右カバー２Ｂ（１２Ｂ）は、レンジフード１の下端開口部における隣接する外周縁に取付けられて直交する状態で、端部が交差する前後カバー２Ａ（１２Ａ）と左右カバー２Ｂ（１２Ｂ）との間を、連結用の係合突起および連結用のスリットを用いて相互に連結固定している。連結固定の形態として、ファスナー、ホックボタン等の結合部材を用いることも可能である。
【００３５】
以上説明したように、本例の前後カバー２Ａ（１２Ａ）、左右カバー２Ｂ（１２Ｂ）は次のような作用効果が得られる。
（１）誰にでも手軽に取り付けられる。
（２）取り外して洗浄することが簡単である。
（３）ガスの捕集効率の観点から、その短辺の長さＬを最大で１５０ｍｍとしているが、１５０ｍｍ程度の長さであれば、一般的な身長の人の頭部が当たることはない。また、万が一、頭部が接触しても、カバー本体板３Ａ、３Ｂは柔質性防炎材料を使用しているので、人が怪我することもない。よって、レンジフードの前面側の縁に取り付けて使用できる。
（４）透明な樹脂材を用いることで、インテリアデザインを損なうことを避けられる。
（５）各種の長さのものを用意しておくことで、各種のレンジフードに対し取り付け可能であり、汎用性が高い。
（６）広範囲の調理ガスを捕集することを促進できる。
（７）吹き抜けのある住宅や、大空間のＬＤＫ住宅、近年人気のあるオープンキッチンやアイランド型キッチンに用いられるレンジフードに取り付けることで、効率的に調理ガスを吸引して、ＬＤＫにおける快適な居住空間を提供できる。
【００３６】
なお、図７には、前後カバー２Ａ、左右カバー２Ｂの具体例を示してある。図７（ａ１）〜（ａ５）は、前後カバー２Ａの平面図、正面図、底面図、背面図および左側面図であり、図７（ｂ１）〜（ｂ５）は、左右カバー２Ｂの平面図、正面図、底面図、背面図および左側面図である。図示の例では、前後カバー２Ａ、左右カバー２Ｂのそれぞれにおいて、右側面は左側面と対称に現れる。
【符号の説明】
【００３７】
１  レンジフード
１ａ  上側フード部分
１ｂ  下側フード部分
１ｃ  下端開口部
１ｄ  フード整流板
１ｅ  吸引口
２  カバー
２Ａ  前後カバー
２Ｂ  左右カバー
３Ａ、３Ｂ  カバー本体板
３ａ  係合突起
３ｂ  連結用のスリット（係合溝）
３ｃ  長辺縁部
４ａ  辺
４Ａ、４Ｂ  カバー本体板補強枠
４ｂ  辺
５Ａ、５Ｂ  マグネットシート
１０  調理台
１１  コンロ
１２Ａ  前後カバー
１２Ｂ  左右カバー
１３Ａ、１３Ｂ  カバー本体板
１４Ａ、１４Ｂ  カバー本体板補強枠
１５Ａ、１５Ｂ  マグネットシート
【図１】
0003219022.tif 000004
【図２】
0003219022.tif 000005
【図３】
0003219022.tif 000006
【図４】
0003219022.tif 000007
【図５】
0003219022.tif 000008
【図６】
0003219022.tif 000009
【図７】
0003219022.tif 000010